(57)【要約】      （修正有）【課題】構造物を構成する金属材料に受電部と繋がる引下げ導線を接続する施工の容易化を図り得る引出端子を提供する。【解決手段】引出端子１は第１金具１０と第２金具２０を主要部として形成される。第１金具１０は円弧状に湾曲した位置決め凹部１６をその長手方向中程に有し、基端側からは一対の爪部１２が突出し、ピン１８を固定する。第１金具１０の最先端部分は屈曲されたブラケット片１４とされ、引下げ導線の端部を固定しうる接続端子３０が取り付けられる。第２金具２０の基端側がピン１８の廻りに緩く巻き付き、第２金具２０の基端側と第１金具１０の基端側とが相互に回転可能に接続される。第１金具１０の位置決め凹部１６と対向した位置に第２金具２０は位置決め凹部２６を有し鉄筋に位置合わせされつつ、第１金具１０と第２金具２０の先端側同士がねじ止めされる。【選択図】図１
0003225871.tif 000002
【実用新案登録請求の範囲】
【請求項１】
受電部と繋がる導線を固定する接続端子が先端側に連結され得る第１金具と、
基端側が第１金具の基端側と回転可能に接続され、建造物を構成する金属材料を第１金具とで挟むと共に、先端側が第１金具の先端側とねじ止め可能とされた第２金具と、
を含む引出端子。
【請求項２】
第１金具の先端側と第２金具の先端側の相互に対向する部分にねじ止め用の穴部がそれぞれ設けられた請求項１に記載の引出端子。
【請求項３】
第１金具と第２金具の対を２組使用し、建造物を構成する金属材料にこれら２組の金具をそれぞれ固定し、接続端子及び導線で介してこれら２組の金具間を連結した請求項１又は請求項２に記載の引出端子。
【請求項４】
建造物を構成する金属材料が鉄筋とされ、第１金具と第２金具の相互に対向する部分が挟み込まれる鉄筋の太さに合わせた凹状に形成された請求項１から請求項３のいずれかに記載の引出端子。
【考案の詳細な説明】
【技術分野】
【０００１】
本考案は、構造物を構成する鉄筋等の金属材料に受電部と繋がる避雷導線を接続する施工の容易化が図られた引出端子に関するものであり、特に避雷針等の避雷設備に好適可能なものである。
【背景技術】
【０００２】
一般的にビル等の建造物には雷対策として、避雷設備の突針を従来から屋上等に設置していた。さらに、落雷時に地上に電気を放電するための避雷導線の一端側がこの突針に接続されている。この避雷導線の一部を構成する引下げ導線の他端側は、建造物の建築の際に、鉄筋等の金属材料に接続するような施工がなされ、鉄筋等を介して落雷時に地上に放電する構造になっている。
【０００３】
そして、引下げ導線の他端側と鉄筋等の金属材料との間には、引下げ導線の端部が取り付けられる接続端子の他に、鉄筋を挟み付けてねじ止めすることで連結するための一対の金属板からなる引出端子が備えられ、これら接続端子と引出端子との間をさらにねじ止め等して連結することで、引下げ導線と鉄筋との間の導通を確保していた。
【０００４】
例えば、図６に示すような構造の引出端子が知られている。この引出端子は一対の金属板である金具１１０、１２０から構成され、各金具１１０、１２０の中央部が鉄筋Ｔを挟むために凹状の部分とされ、各金具の両端部がそれぞれボルト１４０とナット１４２によりねじ止めされるようになっている。
【０００５】
また、突針に繋がる図示しない引下げ導線を固定するための接続端子１３０は金具１１０、１２０にねじ止められて連結されていて、引下げ導線の端部をこの接続端子１３０に小ねじ１３２によりねじ止め可能になっている。しかし、引出端子が相互に分離している一対の金属板から構成されていることから、施工作業の際に作業者が落とし易く、作業効率を十分に高めることができなかった。
【０００６】
この一方、引下げ導線と鉄筋との間の導通を確保する技術としては、例えば下記引用文献１に開示された技術が知られている。ただし、この引用文献１には、鉄骨や鉄筋と引下げ導線との間の接続のために、金属製の接続板を単にボルト止めする構造しか示されていなかった。
【先行技術文献】
【特許文献】
【０００７】
【特許文献１】実用新案登録第３１１１３８７号公報
【考案の概要】
【考案が解決しようとする課題】
【０００８】
したがって、この特許文献１に示す技術であっても、引出端子が一対の金属板から構成されるのに伴って施工作業の際に作業者がこの引出端子を落とし易く、作業効率を十分に高めることができなかったことから、鉄筋等の金属材料に突針に繋がる引下げ導線を接続する際の施工の容易化が図れなかった。
【０００９】
本考案は上記背景に鑑みてなされたものであり、構造物を構成する金属材料に受電部と繋がる引下げ導線を接続する施工の容易化を図り得る引出端子を提供することを目的とする。
【課題を解決するための手段】
【００１０】
上記課題を解決した請求項１に記載の考案は、受電部と繋がる導線を固定する接続端子が先端側に連結され得る第１金具と、
基端側が第１金具の基端側と回転可能に接続され、建造物を構成する金属材料を第１金具とで挟むと共に、先端側が第１金具の先端側とねじ止め可能とされた第２金具と、
を含む引出端子である。
【００１１】
請求項１の引出端子によれば、受電部と繋がる導線を固定する接続端子が第１金具の先端側に対して連結可能とされ、第２金具の基端側がこの第１金具の基端側と回転可能に接続されている。また、建造物を構成する金属材料を第１金具と第２金具とで挟みつつ、第２金具の先端側が第１金具の先端側とねじ止め可能とされている。
【００１２】
まず、建造物を建築する施工時に避雷設備の設置のために、接続端子に連結され得る第１金具と第２金具とにより、建造物を構成する金属材料である例えば鉄筋を挟んで、突針等の受電部と繋がる導線を鉄筋に接続する必要性がある。ただし、本請求項の引出端子は、第１金具の基端側に対して第２金具の基端側が回転可能に接続されて蝶番状にされてこれら２つの金具が一体となっている。このことから、作業者がこれら金具を落としたりする可能性が低くなり、接続端子及び引出端子による導線と鉄筋との間の電気的な接続作業が容易となる。
【００１３】
請求項２の引出端子によれば、第１金具の先端側と第２金具の先端側の相互に対向する部分にねじ止め用の穴部がそれぞれ設けられている。このことから、これらの穴部にボルトを通すとともにナットで締結することで、基端側同士が相互に回転可能に接続される第１金具と第２金具の先端側同士を容易に固定できる。
【００１４】
請求項３の引出端子によれば、第１金具と第２金具の対を２組使用し、建造物を構成する各金属材料にこれら２組の金具をそれぞれ固定し、これら２組の金具の間を接続端子及び導線を介して連結した。このことから、例えば隣り合った２本の鉄筋に対して導線を電気的にそれぞれ接続できるので、落雷時における放電の経路が多くなり、より確実に放電可能になる。
【００１５】
請求項４の引出端子によれば、第１金具と第２金具の相互に対向する部分を挟み込む鉄筋の太さに合わせた凹状に形成した。このことから、基端側同士が相互に回転可能に接続されている第１金具と第２金具を容易に位置合わせしつつ鉄筋に対して固定できるようになり、これによっても建造物を構成する金属材料である鉄筋と導線との間の電気的な接続作業が一層容易となる。
【考案の効果】
【００１６】
本考案の引出端子によれば、構造物を構成する金属材料に受電部と繋がる引下げ導線を接続する施工の容易化を図り得るという優れた効果を有する。
【図面の簡単な説明】
【００１７】
【図１】本考案の一実施形態に係る引出端子に接続端子を取り付けた状態の斜視図である。
【図２】本考案の一実施形態に係る引出端子を示す図であって、（Ａ）は平面図であり、（Ｂ）は正面図であり、（Ｃ）は側面図であり、（Ｄ）は底面図である。
【図３】本考案の一実施形態に適用される接続端子を示す図であって、（Ａ）は平面図であり、（Ｂ）は正面図であり、（Ｃ）は側面図である。
【図４】本考案の一実施形態に係る引出端子の第１の施工例を示す図であって、（Ａ）は正面図であり、（Ｂ）は（Ａ）のＢ−Ｂ矢視線図である。
【図５】本考案の一実施形態に係る引出端子の第２の施工例を示す正面図である。
【図６】従来の引出端子を示す図であって、（Ａ）は平面図であり、（Ｂ）は正面図であり、（Ｃ）は側面図である。
【考案を実施するための最良の形態】
【００１８】
以下、本考案の一実施形態に係る引出端子について図面を参照しながら詳細に説明する。
図１及び図２に示すように、本実施形態の引出端子１は、第１金具１０と第２金具２０を主要部として形成されている。第１金具１０は円弧状に湾曲した位置決め凹部１６をその長手方向中程に有していて、この第１金具１０の基端側からは一対の爪部１２が突出している。これら一対の爪部１２は丸く湾曲されるように形成されていて、金属製のピン１８をこれら一対の爪部１２で把持して固定している。
【００１９】
この第１金具１０の先端側には、一対の穴部１０Ａがそれぞれ設けられ、この第１金具１０の最先端部分は直角に屈曲された板状のブラケット片１４を有していて、屈曲されたこのブラケット片１４には２つのねじ穴１４Ａが設けられている。
【００２０】
さらに、図１及び図３に示すように、一端側に２つの取付穴３０Ａを有した接続端子３０が存在していて、これら２つの取付穴３０Ａを図１及び図４に示す固定用ボルト３４で貫通してこの固定用ボルト３４を第１金具１０の２つのねじ穴１４Ａに対してねじ止めて締結することにより、第１金具１０に接続端子３０が取り付けられる構造とされている。この接続端子３０の他端側には太く形成された本体部３０Ｂが有り、この本体部３０Ｂに受電部である図示しない突針と繋がる図４に示す引下げ導線Ｌの端部を固定しうる導線用穴部３８が設けられている。
【００２１】
そして、この接続端子３０の導線用穴部３８に挿入された引下げ導線Ｌを固定するための一対の小ねじ３２が螺合されていて、これら一対の小ねじ３２を締め付けることで、引下げ導線Ｌが固定されるようになっている。なお、この導線用穴部３８内には、小ねじ３２に押されて引下げ導線Ｌを押さ付けるための押え板４４が配置され、この押え板４４と繋がる引き上げ棒４６の端部が本体部３０Ｂから突出している。
【００２２】
他方、図１及び図２に示すように、第２金具２０の基端側の中央部からは接合部２２が伸びていて、前述のピン１８の廻りに緩く巻き付くようにこの接合部２２は湾曲した構造とされている。このため、この第２金具２０の基端側と第１金具１０の基端側とは相互に接続されるだけでなく、第２金具２０の基端側と第１金具１０の基端側とが相互に回転可能に接続されていて、これら２つの金具１０、２０が蝶番状に繋がった構造となっている。
【００２３】
また、第２金具２０は、円弧状に湾曲した位置決め凹部２６をその長手方向中程であって第１金具１０の位置決め凹部１６と対向した位置に有している。これら位置決め凹部１６及び位置決め凹部２６は、第１金具１０と第２金具２０とを相互にその基端側廻りに旋回して、第１金具１０と第２金具２０とを対向させた状態で、挟み込まれる図４及び図５に示す鉄筋Ｔの太さより若干小さい凹状に形成され、鉄筋Ｔに位置合わせして挟み込めるようになっている。
【００２４】
この一方、第２金具２０の先端側であって第１金具１０の一対の穴部１０Ａと対向する部分には、一対の穴部２０Ａが形成されることで、本実施形態では、第１金具１０の先端側と第２金具２０の先端側の相互に対向する部分にねじ止め用の穴部１０Ａ、２０Ａを有した構造とされている。
【００２５】
これに伴い、これらの穴部１０Ａ、２０Ａにボルト４０の軸部を貫通して、このボルト４０の先端側にナット４２を締結することで、第２金具２０と第１金具１０の先端側同士をねじ止め可能にされている。このため、ボルト４０に対してナット４２を締め付けることで、鉄筋Ｔに対して引出端子１を固定できるようになる。
【００２６】
そして、本実施形態の第１の施工例として、図４に示すように第１金具１０と第２金具２０を主要部とした引出端子１を鉄筋Ｔに固定することで建造物内に設置し、この引出端子１に取り付けられた接続端子３０を引下げ導線Ｌと連結して、引下げ導線Ｌを介して突針と鉄筋Ｔとの間を接続する構造となっている。
【００２７】
また、本実施形態の第２の施工例として、図５に示すように第１金具１０と第２金具２０を主要部とした引出端子１を２組使用して相互に隣り合った鉄筋Ｔにそれぞれ固定することで、これら引出端子１が建造物内に設置される。さらに、２組の引出端子１にそれぞれ取り付けられた接続端子３０の内の左側の接続端子３０は上下両側に本体部３０Ｂをそれぞれ有していて、上側の本体部３０Ｂに引下げ導線Ｌを連結し、下側の本体部３０Ｂに避雷導線Ｌ１の一端側を接続している。
【００２８】
他方、右側の接続端子３０は第１例の接続端子３０と同様の構造とされ、避雷導線Ｌ１の他端側が接続されている。つまり、左側の接続端子３０は突針に繋がる引下げ導線Ｌ及び避雷導線Ｌ１と接続する関係から二つの本体部３０Ｂが存在している。このことから、本実施形態の第２の施工例では、２つの接続端子３０間を避雷導線Ｌ１で連結して接続する構造となっている。
【００２９】
次に、本実施形態に係る引出端子１の作用を以下に説明する。
本実施形態の引出端子１によれば、図１〜図３に示すように、突針と繋がる引下げ導線Ｌの端部を固定する接続端子３０が第１金具１０の先端側にあるブラケット片１４に対して連結可能とされ、第２金具２０の基端側がこの第１金具１０の基端側と回転可能に接続されて引出端子１が蝶番状となっている。
【００３０】
また、第１金具１０と第２金具２０の相互に対向する長手方向中程の部分が挟み込む鉄筋Ｔの太さに合わせた凹状の位置決め凹部１６、２６をそれぞれ有していると共に、第１金具１０の先端側と第２金具２０の先端側の相互に対向する部分に、ねじ止め用の穴部１０Ａ、２０Ａがそれぞれ設けられている。このため、本実施形態では、位置決め凹部１６、２６を鉄筋Ｔに位置合わせした状態で、第１金具１０と第２金具２０とでこの鉄筋Ｔを挟みつつ、第１金具１０及び第２金具２０の先端側同士をねじ止め可能になっている。
【００３１】
さらに、本実施形態の引出端子１は、図４のように接続端子３０、第１金具１０及び第２金具２０を１組使用して鉄筋Ｔに固定すると共に、引下げ導線Ｌの端部を接続端子３０に固定して、引下げ導線Ｌと鉄筋Ｔとの間を導通しても良い。また、図５のように第１金具１０と第２金具２０の対を２組使用してそれぞれ鉄筋Ｔに固定し、これらの間を接続端子３０と避雷導線Ｌ１を用いて連結した構造としても良い。
【００３２】
他方、前述のように建造物を建築する施工時において避雷設備の設置のために、第１金具１０と第２金具２０とで鉄筋Ｔを挟んで、突針に繋がる引下げ導線Ｌと接続する必要性が存在していた。これに対して、上記より本実施形態の引出端子１では、第１金具１０の基端側に対して第２金具２０の基端側が回転可能に接続されて、これら金具が蝶番状になり一体となっている。
【００３３】
以上のことから、作業者がこれらの金具を落としたりする可能性が低くなり、接続端子３０及び引出端子１による引下げ導線Ｌと鉄筋Ｔとの間の電気的な接続作業が容易となる。また、図５に示すように２組の引出端子１を用いることで、隣り合った２本の鉄筋Ｔに対して引下げ導線Ｌをより強固かつ確実に電気的に接続できるので、落雷時における放電の経路が多くなり、より確実に放電可能になる。
【００３４】
他方、本実施形態では、上記のように第１金具１０と第２金具２０の相互に対向する部分を挟み込む鉄筋Ｔの太さに合わせた凹状の位置決め凹部１６、２６を形成していると共に、第１金具１０の先端側と第２金具２０の先端側の相互に対向する部分にねじ止め用の穴部１０Ａ、２０Ａがそれぞれ設けられている。このため、相互に基端側を回転可能に接続されている第１金具１０及び第２金具２０を容易に位置合わせしつつ鉄筋Ｔに対して固定できるだけでなく、穴部１０Ａ、２０Ａにボルト４０を通すとともにナット４２でこれら金具を容易に締結することができるようになり、これらによっても引下げ導線Ｌと鉄筋Ｔとの間の電気的な接続作業が一層容易となる。
【００３５】
なお、上記実施形態において、建造物を構成する金属材料として鉄筋Ｔとしたが、鉄骨等の他の金属製の部材でも良い。また、第１金具１０と第２金具２０の材質としては、ステンレス鋼、表面にメッキを施した他の金属材料やアルミニウム合金等の材料を採用することができるが、他の材料としても良い。接続端子３０の材質としては、表面にメッキを施した黄銅を採用することができるが、他の材料としても良い。さらに、受電部を突針としたが、受電部は雷撃を受けとめるために使用する金属体であれば良く、例えば、むね上げ導体、ケージの網目状導体の他、手すり、フェンス、水槽等の建築物に付随した金属体であっても良い。
【００３６】
上記実施形態において、第１金具１０と第２金具２０を主要部とした引出端子１と接続端子３０とを別体として、これらをねじ止めする構造としたが、引出端子１と接続端子３０とを一体的な構造のものとしても良い。
【００３７】
以上、本考案に係る実施の形態を説明したが、本考案は係る実施の形態に限定されるものではなく、本考案の趣旨を逸脱しない範囲で種々変形して実施することができる。
【産業上の利用可能性】
【００３８】
本考案は、避雷針設置の他、建造物に関するものをはじめ、様々な産業分野に適用可能となる。
【符号の説明】
【００３９】
１    引出端子
１０    第１金具
１０Ａ  穴部
１２    爪部
１４    ブラケット片
１４Ａ  ねじ穴
１６    位置決め凹部
１８    ピン
２０    第２金具
２０Ａ  穴部
２２    接合部
２６    位置決め凹部
３０    接続端子
３０Ａ  取付穴
３０Ｂ  本体部
３２    小ねじ
３４    固定用ボルト
４０    ボルト
Ｌ    引下げ導線
Ｌ１  避雷導線
Ｔ    鉄筋
【図１】
0003225871.tif 000003
【図２】
0003225871.tif 000004
【図３】
0003225871.tif 000005
【図４】
0003225871.tif 000006
【図５】
0003225871.tif 000007
【図６】
0003225871.tif 000008